(57)【要約】【課題】携帯に優れた携帯型薬液ポンプを提供すること。【解決手段】携帯型薬液ポンプ５は、外筒２と、外筒２内で摺動し得るガスケット３と、ガスケット３を移動操作するプランジャ４とを有し、薬液２００の最大充填量が５〜２０ｍＬであるシリンジ１を装填して用いられるものである。この携帯型薬液ポンプ１は、外筒２を保持する保持体６と、保持体６に移動可能に設置され、その移動によりプランジャ４を先端方向に向かって押圧する押圧部材７と、外筒２の側方に隣接して配置され、押圧部材７をプランジャ４ごと先端方向に付勢し、その付勢力が一定の定荷重バネである渦巻きバネ８と、保持体６で外筒２を保持した状態で、シリンジ１ごと保持体６と押圧部材７と渦巻きバネ８とを収納するケース９とを備えている。【選択図】図３
2011250867.tif 000002
【特許請求の範囲】
【請求項１】
先端部に口部を有する外筒と、該外筒内で摺動し得るガスケットと、該ガスケットに連結され、前記ガスケットを移動操作するプランジャとを有し、前記外筒と前記ガスケットとで囲まれる空間に充填可能な薬液の最大充填量が５〜２０ｍＬであるシリンジを装填して用いられる携帯型薬液ポンプであって、
前記外筒を保持する保持体と、
前記保持体に移動可能に設置され、当該移動により前記プランジャを先端方向に向かって押圧する押圧部材と、
前記外筒の側方に隣接して配置され、前記押圧部材を前記プランジャごと先端方向に付勢する渦巻きバネと、
前記保持体で前記外筒を保持した状態で、前記シリンジと前記押圧部材と前記渦巻きバネとを収納するケースとを備えることを特徴とする携帯型薬液ポンプ。
【請求項２】
前記渦巻きバネは、その外端部が前記押圧部材に連結され、その内端部が前記保持体に対し回転軸を介して回転可能に支持されている請求項１に記載の携帯型薬液ポンプ。
【請求項３】
前記保持体は、前記プランジャを摺動可能に支持する支持部を有する請求項１または２に記載の携帯型薬液ポンプ。
【請求項４】
前記ケースは、開閉可能な一対の半体で構成されたケース本体と、該ケース本体が閉じた状態で施錠可能な施錠部とを有する請求項１ないし３のいずれかに記載の携帯型薬液ポンプ。
【請求項５】
前記押圧部材が前記プランジャを先端方向に向かって押圧した際、前記口部から吐出される前記薬液の吐出速度は、０．０５〜１ｍＬ／時間である請求項１ないし４のいずれかに記載の携帯型薬液ポンプ。
【発明の詳細な説明】
【技術分野】
【０００１】
本発明は、携帯型薬液ポンプに関する。
【背景技術】
【０００２】
従来、薬液を投与する際には、薬液が予め充填されたシリンジと、シリンジが装着されるポンプ装置とを備えるシリンジポンプを使用する（例えば、特許文献１参照）。この特許文献１に記載のポンプ装置は、シリンジの外筒を保持するフレームと、フレームに設置され、シリンジのプランジャを押圧する押圧機構とを有している。この押圧機構は、圧縮コイルバネを有し、当該圧縮コイルバネの付勢力により、プランジャを押圧するよう構成されている。
【０００３】
しかしながら、特許文献１に記載のポンプ装置は、押圧機構の圧縮コイルバネがプランジャの基端側に配置されており、このような構成では、当該ポンプ装置の全長が長くなってしまう。このため、特許文献１に記載のポンプ装置を例えば衣服のポケットに収納して携帯しようとした場合、当該ポンプ装置がポケットからはみ出してしまい、携帯しづらいという問題があった。
【先行技術文献】
【特許文献】
【０００４】
【特許文献１】特表平１１−５１４２５５号公報
【発明の概要】
【発明が解決しようとする課題】
【０００５】
本発明の目的は、携帯に優れた携帯型薬液ポンプを提供することにある。
【課題を解決するための手段】
【０００６】
このような目的は、下記（１）〜（５）の本発明により達成される。
（１）  先端部に口部を有する外筒と、該外筒内で摺動し得るガスケットと、該ガスケットに連結され、前記ガスケットを移動操作するプランジャとを有し、前記外筒と前記ガスケットとで囲まれる空間に充填可能な薬液の最大充填量が５〜２０ｍＬであるシリンジを装填して用いられる携帯型薬液ポンプであって、
前記外筒を保持する保持体と、
前記保持体に移動可能に設置され、当該移動により前記プランジャを先端方向に向かって押圧する押圧部材と、
前記外筒の側方に隣接して配置され、前記押圧部材を前記プランジャごと先端方向に付勢する渦巻きバネと、
前記保持体で前記外筒を保持した状態で、前記シリンジと前記押圧部材と前記渦巻きバネとを収納するケースとを備えることを特徴とする携帯型薬液ポンプ。
【０００７】
（２）  前記渦巻きバネは、その外端部が前記押圧部材に連結され、その内端部が前記保持体に対し回転軸を介して回転可能に支持されている上記（１）に記載の携帯型薬液ポンプ。
【０００８】
（３）  前記保持体は、前記プランジャを摺動可能に支持する支持部を有する上記（１）または（２）に記載の携帯型薬液ポンプ。
【０００９】
（４）  前記ケースは、開閉可能な一対の半体で構成されたケース本体と、該ケース本体が閉じた状態で施錠可能な施錠部とを有する上記（１）ないし（３）のいずれかに記載の携帯型薬液ポンプ。
【００１０】
（５）  前記押圧部材が前記プランジャを先端方向に向かって押圧した際、前記口部から吐出される前記薬液の吐出速度は、０．０５〜１ｍＬ／時間である上記（１）ないし（４）のいずれかに記載の携帯型薬液ポンプ。
【００１１】
また、本発明の携帯型薬液ポンプでは、前記渦巻きバネは、前記押圧部材が前記渦巻きバネの付勢力に抗して基端方向に移動した際に伸びた状態となって、該伸びた状態から元の状態へ復元しようとする復元力が生じ、該復元力により、前記押圧部材を先端方向に移動させて前記プランジャを押圧するよう構成されているのが好ましい。
【００１２】
また、本発明の携帯型薬液ポンプでは、前記渦巻きバネの前記伸びた状態を維持するロック手段を備えるのが好ましい。
【００１３】
また、本発明の携帯型薬液ポンプでは、前記保持体は、長尺な板状をなすものであり、その長手方向に沿って前記シリンジが配置されるのが好ましい。
【００１４】
また、本発明の携帯型薬液ポンプでは、前記保持体は、その長手方向の途中で、前記外筒の少なくとも基端部を保持するよう構成されているのが好ましい。
【００１５】
また、本発明の携帯型薬液ポンプでは、前記ケースには、前記シリンジを視認可能な窓部が設けられているのが好ましい。
【００１６】
また、本発明の携帯型薬液ポンプでは、前記窓部には、前記プランジャの基端の位置を示す目盛りが付されているのが好ましい。
【００１７】
また、本発明の携帯型薬液ポンプでは、前記押圧部材は、前記プランジャの基端に当接する当接面を有するのが好ましい。
【００１８】
また、本発明の携帯型薬液ポンプでは、前記押圧部材が移動する際、該押圧部材を案内するガイド手段を備えるのが好ましい。
【００１９】
また、ポンプセットは、
本発明の携帯型薬液ポンプと、
前記携帯型薬液ポンプに装填され、先端部に口部を有する外筒と、該外筒内で摺動し得るガスケットと、該ガスケットに連結され、前記ガスケットを移動操作するプランジャとを有し、前記外筒と前記ガスケットとで囲まれる空間に充填可能な薬液の最大充填量が５〜２０ｍＬであるシリンジとを備える。
また、前記ポンプセットでは、前記薬液は、オピオイドであるのが好ましい。
【発明の効果】
【００２０】
本発明によれば、渦巻きバネがシリンジの外筒の側方に隣接して配置されている。ここで、仮に押圧部材を付勢する付勢部材としてのコイルバネを用い、当該コイルバネがシリンジ１の基端側に配置された場合を考えてみる。この場合、コイルバネの分だけ、ポンプの全長が長くなってしまう。このように全長が長いポンプを例えば衣服のポケットに収納して携帯しようとすると、当該ポンプがポケットからはみ出してしまい、携帯しづらくなる。これに対し、本発明では、押圧部材を付勢する渦巻きバネがシリンジの外筒の側方に配置されていることにより、ポンプの全長が長くなるのを防止または抑制することができる。これにより、ポンプが小型化され、携帯に優れたものとなる。
【図面の簡単な説明】
【００２１】
【図１】本発明の携帯型薬液ポンプの第１実施形態を示す分解平面図である。
【図２】本発明の携帯型薬液ポンプの第１実施形態を示す組立平面図である。
【図３】本発明の携帯型薬液ポンプの使用状態を示す平面図である。
【図４】図１中のＡ−Ａ線断面図である。
【図５】図１中のＢ−Ｂ線断面図である。
【図６】図２中の矢印Ｃ方向から見た図（部分横断面図）である。
【図７】本発明の携帯型薬液ポンプの第２実施形態を示す平面図である。
【図８】図７中のＤ−Ｄ線断面図である。
【図９】本発明の携帯型薬液ポンプに接続される流量調整装置の平面図である。
【発明を実施するための形態】
【００２２】
以下、本発明の携帯型薬液ポンプを添付図面に示す好適な実施形態に基づいて詳細に説明する。
【００２３】
＜第１実施形態＞
図１は、本発明の携帯型薬液ポンプの第１実施形態を示す分解平面図、図２は、本発明の携帯型薬液ポンプの第１実施形態を示す組立平面図、図３は、本発明の携帯型薬液ポンプの使用状態を示す平面図、図４は、図１中のＡ−Ａ線断面図、図５は、図１中のＢ−Ｂ線断面図、図６は、図２中の矢印Ｃ方向から見た図（部分横断面図）、図９は、本発明の携帯型薬液ポンプに接続される流量調整装置の平面図である。なお、以下では、説明の都合上、図１〜図３、図５および図９中（図７についても同様）の右側を「基端」、左側を「先端」と言い、図４〜図６中（図８についても同様）の上側を「上」または「上方」、下側を「下」または「下方」と言う。
【００２４】
図１〜図３に示すように、ポンプセット１０は、シリンジ１と、携帯型薬液ポンプ（以下単に「ポンプ」と言う）５とを備え、薬液２００の投与に用いられるものである。以下、各部の構成について説明する。
【００２５】
シリンジ１は、外筒２と、外筒２内にその長手方向に沿って摺動可能に設置されたガスケット３と、ガスケット３を移動操作するプランジャ４とを備えている。そして、外筒２とガスケット３とで囲まれた空間２４内には、予め薬液２００が充填されている。なお、このシリンジ１は、比較的サイズが小さいもの、すなわち、充填可能な薬液２００の最大充填量が５〜２０ｍＬ、好ましくは５〜１０ｍＬ、より好ましくは１０ｍＬのものである。
【００２６】
外筒２は、筒状をなす外筒本体２１を有している。外筒本体２１の先端部には、外径および内径が縮径した縮径部で構成された口部２２が形成されている。この口部２２から薬液２００が吐出される。
【００２７】
また、外筒本体２１の基端には、板状をなすフランジ２５が突出形成されている。
また、外筒本体２１の外周部には、薬液２００の液量を示す目盛り２６が付されている。
【００２８】
ガスケット３は、円柱状または円板状をなす弾性体で構成されている。そして、ガスケット３の外周面が外筒本体２１の内周面に対し密着しつつ摺動することで、気密性（液密性）を確実に保持することができる。
【００２９】
プランジャ４は、長尺な本体部４２を有している。本体部４２の先端部は、ガスケット３と例えば螺合により連結されている。また、本体部４２の横断面形状は、十文字状をなしている。本体部４２の基端には、円板状のフランジ４１が突出形成されている。薬液２００を排出する際には、フランジ４１を先端方向に向かって押圧することにより、ガスケット３が薬液２００を口部２２から押し出し、その排出を容易に行うことができる。
【００３０】
なお、外筒２およびプランジャ４の構成材料としては、それぞれ、特に限定されないが、例えば、ポリプロピレン、環状ポリオレフィンのような各種樹脂材料が挙げられる。
【００３１】
また、ガスケット３の構成材料としては、特に限定されないが、例えば、天然ゴム、イソプレンゴム、ブタジエンゴム、スチレン−ブタジエンゴム、ブチルゴム、シリコーンゴム、フッ素ゴムのような各種ゴム材料（特に加硫処理したもの）や、各種熱可塑性エラストマーが挙げられ、これらのうちの１種または２種以上を混合して用いることができる。
【００３２】
また、薬液２００としては、特に限定されないが、例えば、抗癌剤、麻酔薬、覚せい剤、オピオイド（麻薬）、ブドウ糖等の糖質注射液、塩化ナトリウムや乳酸カリウム等の電解質補正用注射液、ビタミン剤、抗生物質注射液、ステロイド剤、蛋白質分解酵素阻害剤、脂肪乳剤、蛋白製剤、抑吐剤、抗ホルモン剤、精神安定剤のような各種薬液が挙げられる。そして、これらの薬剤の中で、特に、オピオイドの投与にポンプセット１０を好適に用いることができる。これについては、後述する。
【００３３】
図３に示すように、シリンジ１の口部２２には、チューブセット２０が接続されている。チューブセット２０は、耐脂溶性薬品を有するチューブ３０と、チューブ３０の基端部に設置されたコネクタ４０と、チューブ３０の長手方向の途中に設置されたフィルタ５０と、フィルタ５０よりも先端側に設置された流量調整装置６０とを有している。
【００３４】
コネクタ４０は、筒状をなし、シリンジ１の口部２２に液密に嵌合することができる。このコネクタ４０を介して、チューブ３０がシリンジ１内と連通する。
【００３５】
チューブ３０は、その中空部が薬液２００が通過する流路として機能するものである。また、チューブ３０の基端部は、患者に予め留置された留置針に接続可能に構成されている。チューブ３０内を流下した薬液２００は、前記留置針を介して、患者に投与される。
【００３６】
フィルタ５０は、気体は通過するが液体は通過しない、例えばポリテトラフルオロエチレン（ＰＴＦＥ）で構成された疎水膜５０１を有するものである。このフィルタ５０を介して、チューブ３０内の空気を排出することができる。
【００３７】
図９に示すように、流量調整装置６０は、装置本体６０５と、装置本体６０５に並べて配置された可撓性を有する第１チューブ６０３ａおよび第２チューブ６０３ｂと、第１チューブ６０３ａおよび第２チューブ６０３ｂのうちの一方のチューブを圧閉する圧閉部６０６を有する操作ダイヤル６０２と、第１チューブ６０３ａおよび第２チューブ６０３ｂの各先端部がそれぞれ接続されたＹ字コネクタ６０４ａと、第１チューブ６０３ａおよび第２チューブ６０３ｂの各基端部がそれぞれ接続されたＹ字コネクタ６０４ｂとを備えている。また、第１チューブ６０３ａの基端側の部分には、オリフィス６０１ａを形成するチップ６０７ａが液密に嵌入され、第２チューブ６０３ｂの基端側の部分には、オリフィス６０１ｂを形成するチップ６０７ｂが液密に嵌入されている。チップ６０７ａ、６０７ｂは、それぞれ、細管で構成されている。そして、チップ６０７ａ、６０７ｂは、互いに管路径が異なり、その大きさに応じた管路抵抗によって薬液２００の流量を微量に制御するものである。
【００３８】
このような構成の流量調整装置６０では、操作ダイヤル６０２を操作することにより、第１チューブ６０３ａおよび第２チューブ６０３ｂのうちの一方を開放し、他方を圧閉部６０６で閉塞することができる。そして、開放した一方のチューブをシリンジ１からの薬液２００が通過し、その際、当該チューブに嵌入されたチップによって、薬液２００の流量の大小を切り換える、すなわち、調整することができる。
【００３９】
また、オリフィス６０１ａ、６０１ｂの内径は、特に限定されないが、例えば、１２．５〜１２５μｍであるのが好ましく、２５〜６５μｍであるのがより好ましい。また、オリフィス６０１の長さは、特に限定されないが、例えば、３〜３０ｍｍであるのが好ましく、１０〜２０ｍｍであるのがより好ましい。
【００４０】
図１〜図３に示すように、ポンプ５は、シリンジ１を装填して用いられるものであり、外筒２を保持する保持体６と、保持体６に移動可能に設置された押圧部材７と、押圧部材７を先端方向に付勢する渦巻きバネ８と、これらを一括して収納するケース９とを備えている。なお、ポンプ５は、使用者の衣服のポケットに入れたり、使用者の首から吊り下げたりすることで携帯される。
【００４１】
保持体６は、ポンプ５の本体を構成する長尺な板状をなす本体ベース６１を有する。本体ベース６１は、その中心軸を境界として、シリンジ１が主に配置されるシリンジ配置部６１１と、シリンジ１の作動を担う機能を有する部材が主に配置される機能部材配置部６１２とに分けることができる。
【００４２】
シリンジ配置部６１１上には、その長手方向の途中、すなわち、ほぼ中央部に保持部６４が設けられている。この保持部６４は、シリンジ１を保持する部分であり、本体ベース６１から立設した２枚の壁部６４１、６４２で構成されている。壁部６４１と壁部６４２とは、離間して配置されており、これらの間にシリンジ１の外筒２のフランジ２５が挟持される。また、壁部６４１には、円弧状に湾曲した凹部６４３が形成されており、この凹部６４３に外筒２の外筒本体２１のフランジ２５近傍の部分が嵌合する。
【００４３】
このような構成の保持部６４により、シリンジ１が保持体６の長手方向に沿って配置され、外筒２の基端部を保持、固定することができる。これにより、プランジャ４を先端方向に向かって押圧した際、外筒２が不用意に移動するのが確実に防止され、よって、その押圧操作を安定して行なうことができる。
【００４４】
機能部材配置部６１２の先端側の部分には、渦巻きバネ８を保持するボビン１４と、ボビン１４を回転可能支持する回転軸１３とが配置されている。
【００４５】
ボビン１４は、渦巻きバネ８の内端部８１が連結され、当該渦巻きバネ８を巻き付けることができる。このボビン１４は、内径が９．８〜１０．２ｍｍ、外径が２５〜４４ｍｍ、高さが２５〜３５ｍｍであるものが好ましい。
回転軸１３は、ボビン１４を挿通する円柱状をなす部材で構成されている。
【００４６】
また、機能部材配置部６１２の基端側の部分には、移動する押圧部材７を案内するガイド手段１１と、押圧部材７の移動を禁止するロック手段１２とが配置されている。
【００４７】
このようにシリンジ１の作動を担うものが集約されて機能部材配置部６１２に配置されていることにより、ポンプ５が過剰に大きくなるのを防止して、ポンプ５の小型化を図ることができる。これにより、ポンプセット１０が携帯し易いものとなる。
【００４８】
図３に示すように、押圧部材７は、保持体６上を移動することができる。そして、この移動により、プランジャ４を先端方向に向かって押圧することができる。押圧部材７は、平面視で「Ｌ」字状をなし、保持体６の幅方向に延在する押圧部７１と、その幅方向と直交する方向、すなわち、保持体６の長手方向に延在する支持部７２とを有している。
【００４９】
押圧部７１は、その先端側を向いた面がプランジャ４の基端、すなわち、フランジ４１に当接する当接面７１１となる。押圧部材７が先端方向に向かって移動すると、当接面７１１がプランジャ４のフランジ４１に当接して、そのまま当該プランジャ４を押し進めることができる。これにより、ガスケット３が外筒２内で摺動して、外筒２の口部２２から薬液２００が排出される。
【００５０】
図４に示すように、支持部７２には、上下方向にそれぞれ突出した突出部７２１が形成されている。また、移動する押圧部材７を案内するガイド手段１１は、押圧部材７の支持部７２を支持するレール部１１１を有している。レール部１１１は、押圧部材７の移動方向、すなわち、保持体６の長手方向に沿って延在する板状をなす部材であり、その一方の面１１４に支持部７２の各突出部７２１が挿入される溝１１３が形成されている。押圧部材７は、支持部７２が溝１１３内を円滑に移動することができる。この移動により、プランジャ４が安定して押し進められ、よって、外筒２の口部２２から薬液２００が確実に排出される。なお、押圧部材７の移動量は、シリンジ１の大きさにもよるが、例えば、１０ｍＬのシリンジ１の場合、８０〜１２０ｍｍとなる。
【００５１】
また、図１、図３に示すように、ガイド手段１１は、レール部１１１を保持体６に対して固定する２つの固定部１１２とを有している。これら２つの固定部１１２は、互いに離間して、レール部１１１の長手方向に沿って配置されている。また、図４に示すように、各固定部１１２は、それぞれ、「Ｌ」字状をなす部材で構成され、レール部１１１の一方の面１１４と反対側の他方の面１１５と保持体６の機能部材配置部６１２の上面６１３とに固定されている。この固定方法としては、特に限定されず、例えば、接着（接着剤や溶媒による接着）による方法、融着（熱融着、高周波融着、超音波融着等）による方法、ネジ止めによる方法等が挙げられる。
【００５２】
押圧部材７の移動を禁止するロック手段１２は、保持体６の基端部に配置された規制部材１２１と、規制部材１２１を上方に付勢するコイルバネ１２２とを有している（例えば図５参照）。
【００５３】
図１に示すように、規制部材１２１は、平面視で「Ｌ」字状をなし、保持体６の長手方向に延在する部分に凹部で構成された係合部１２３が形成されている。この係合部１２３に、押圧部材７の押圧部７１が係合することができる。そして、押圧部材７が規制部材１２１に係合した図５（ａ）に示す状態から、当該規制部材１２１をコイルバネ１２２の付勢力に抗して押圧すると、規制部材１２１が下方に向かって移動した図５（ｂ）に示す状態となる。このとき押圧部材７と規制部材１２１との係合が解除され、よって、押圧部材７が先端方向に向かって移動することができる。
【００５４】
なお、ロック手段１２は、規制部材１２１が下方に位置した図５（ｂ）に示す状態を維持可能に構成されている。これにより、規制部材１２１に対する下方への押圧力を解除しても、当該規制部材１２１がコイルバネ１２２の付勢力により上昇して、移動中の押圧部材７と干渉してしまうのを確実に防止することができる。このような維持構成としては、特に限定されないが、例えば、下方に位置した規制部材１２１が係合する係合部を保持体６に設ける構成が挙げられる。
【００５５】
また、保持体６、押圧部材７、レール部１１１、固定部１１２および規制部材１２１の構成材料としては、特に限定されないが、例えば、前述した外筒２の構成材料のような各種樹脂材料、アルミニウムやアルミニウム合金のような各種金属材料等を用いることができる。コイルバネ１２２の構成材料としては、特に限定されないが、例えば、後述する渦巻きバネ８と同様の構成材料を用いることができる。
【００５６】
図３に示すように、渦巻きバネ８は、押圧部材７をシリンジ１のプランジャ４ごと先端方向に付勢するものである。この渦巻きバネ８は、長尺状をなす、すなわち、帯状をなす弾性体を渦巻き状に巻回してなるゼンマイである。渦巻きバネ８の構成材料としては、特に限定されないが、例えば、ステンレス鋼のような各種金属材料等を用いることができる。
【００５７】
渦巻きバネ８は、ボビン１４、回転軸１３とともにシリンジ１の外筒２の側方に隣接して配置されている。また、渦巻きバネ８は、内端部８１がボビン１４に連結され、外端部８２が押圧部材７の支持部７２に連結されている。そして、このように設置された渦巻きバネ８では、内端部８１が保持体６に対し回転軸１３回りに回転することができ、外端部８２側を基端方向に引き伸ばすことができる。これにより、渦巻きバネ８の付勢力に抗して押圧部材７を例えば指で基端方向に移動すると、渦巻きバネ８の内端部８１と外端部８２とが離間するため、当該渦巻きバネ８が伸びた状態となる（図１参照）。このとき、渦巻きバネ８には、伸びた状態から元の状態へ復元しようとする復元力が生じる。この復元力により、押圧部材７を先端方向に移動させてプランジャ４が押圧されることとなる（図３参照）。
【００５８】
また、前述したように、渦巻きバネ８がボビン１４、回転軸１３とともにシリンジ１の外筒２の側方に隣接して配置されている。ここで、仮に押圧部材７を付勢する付勢部材としてのコイルバネを用い、当該コイルバネがシリンジ１の基端側に配置された場合を考えてみる。この場合、コイルバネの分だけ、ポンプ５の全長Ｌが長くなってしまう。このように全長Ｌが長いポンプ５を例えば衣服のポケットに収納して携帯しようとすると、当該ポンプ５がポケットからはみ出してしまい、携帯しづらくなる。これに対し、本発明では、押圧部材７を付勢する付勢部材としての渦巻きバネ８がシリンジ１の外筒２の側方に配置されている。このような配置により、ポンプ５の全長Ｌが長くなるのを防止または抑制することができ、よって、ポンプ５が小型化される。
【００５９】
本発明では、シリンジ１の大きさや渦巻きバネ８の大きさにもよるが、ポンプ５の全長Ｌを好ましくは２００ｍｍ以下とすることができ、より好ましくは１４０〜１８０ｍｍとすることができる。また、ポンプ５の幅ｗを１００ｍｍ以下とすることができ、より好ましくは５０〜９０ｍｍとすることができる。また、ポンプ５の厚さｔを５０ｍｍ以下とすることができ、より好ましくは３０〜４５ｍｍとすることができる。このような大きさのポンプ５は、携帯し易いものとなる。
【００６０】
ケース９は、保持体６でシリンジ１の外筒２を保持した状態で、当該シリンジ１ごと保持体６、押圧部材７および渦巻きバネ８を収納するものである。図６に示すように、ケース９は、ケース本体９１と、ヒンジ９２と、施錠部９３とを有している。
【００６１】
ケース本体９１は、開閉可能な一対の半体、すなわち、底体９１１と蓋体９１２とで構成されている。そして、閉じた状態の底体９１１と蓋体９１２とで、シリンジ１、保持体６、押圧部材７および渦巻きバネ８をまとめて収納する収納空間９１３が形成される。また、この閉じた状態では、底体９１１と蓋体９１２との間でシリンジ１が挟持されて、固定される。これにより、ポンプ５の使用中や携帯中にシリンジ１が位置ズレを起こすのが防止される。
【００６２】
また、閉じた状態のケース本体９１により、例えば、シリンジ１が手指に触れて、プランジャ４が不本意に過剰に先端方向に押圧されるのを防止することができる。
【００６３】
図２に示すように、蓋体９１２には、シリンジ１の全体を視認可能な窓部９１４が設けられている。窓部９１４は、図示の構成では透明性を有するガラス製または樹脂製の部材で構成されているが、これに限定されず、例えば、蓋体９１２を貫通して形成されたスリットで構成されていてもよい。このような窓部９１４が設けられていることにより、シリンジ１中の薬液２００の残量を確認することができたり、プランジャ４が確実に移動していること、すなわち、プランジャ４が停止していないかどうかを確認することができる。
【００６４】
また、図２、図３に示すように、窓部９１４には、プランジャ４のフランジ４１の位置を示す目盛り９１５が付されているのが好ましい。目盛り９１５は、薬液投与開始から終了までの所要時間を示すものであり、図示の構成では、１２時間の所要時間を１時間ごとに区切ったものとなっている。そして、薬液投与中にプランジャ４のフランジ４１の位置を目盛り９１５で確認することにより、あとどれくらいで薬液投与が終了するのかを把握することができる。
【００６５】
なお、底体９１１および蓋体９１２（窓部９１４を除く）の構成材料としては、特に限定されず、例えば、前述した外筒２の構成材料のような各種樹脂材料、アルミニウムやアルミニウム合金のような各種金属材料等を用いることができる。
【００６６】
底体９１１と蓋体９１２とは、ヒンジ９２を介して連結されている。ヒンジ９２は、ケース本体９１の長手方向に離間して２つ配置されている（図２参照）。このヒンジ９２により、蓋体９１２を底体９１１に対し回動させることができ、よって、蓋体９１２の開閉操作を容易に行なうことができる（図６参照）。
【００６７】
また、ケース本体９１のヒンジ９２と反対側の部分には、施錠部９３が配置されている。この施錠部９３は、ケース本体９１が閉じた状態で施錠可能なものである。これにより、ポンプセット１０の使用予定者以外の人が当該ポンプセット１０を使ってしまうのを確実に防止することができる。施錠部９３の構成としては、特に限定されないが、例えば、鍵と当該鍵が挿入される鍵穴を有する部材とを備えた構成のもの、複数の数字が付されたダイヤルを備え、数字を順に合わせるよう構成されたもの等が挙げられる。
【００６８】
次に、ポンプセット１０の使用方法について、主に図１〜図３を参照しつつ説明する。
まず、図１に示すように、シリンジ１と、ケース９が開いた状態のポンプ５とを用意する。
【００６９】
シリンジ１には、予め薬液２００としてオピオイドが充填されている。例えば１０ｍＬのオピオイドの投与は、通常、１２０時間以内で行われるのが好ましく、１２〜９６時間で行われるのがより好ましい。なお、本実施形態では、投与時間は１２時間となっている（図２参照）。
【００７０】
また、ポンプ５では、渦巻きバネ８が伸びた状態となっており、押圧部材７に先端方向へ移動するための付勢力が作用しているが、当該押圧部材７の移動はロック手段１２により規制されている。このようにロック手段１２は、渦巻きバネ８の伸びた状態を維持するとともに、押圧部材７の移動も規制することができる。
【００７１】
そして、このような状態のポンプ５にシリンジ１を装填する（図２参照）。このときシリンジ１にはチューブセット２０が既に接続されていてもよいし、シリンジ１を装填してから、当該シリンジ１にチューブセット２０を接続してもよい。
【００７２】
次に、前述したようにロック手段１２の押圧部材７に対する規制を解除すると、図３に示すように、渦巻きバネ８は、自身の復元力により、内端部８１側の部分が巻回し、その巻回した分だけ押圧部材７を先端方向に移動させることができる。この押圧部材７の移動により、ガスケット３がプランジャ４を介して先端方向に押圧されて、外筒２の口部２２から薬液２００を排出することができる。これにより、薬液２００の投与が行なわれる。
【００７３】
次に、ケース９を閉状態とし、施錠部９３を施錠する。
ところで、オピオイドである薬液２００を投与する際には、外筒２の口部２２から吐出される薬液２００の吐出速度が一定となるように、その投与を行なうのが好ましい。そこで、ポンプ５では、吐出速度が一定となるのを確保するために、プランジャ４を移動させる駆動源として、渦巻きバネ８が用いられている。渦巻きバネ８は、別名「定荷重バネ」と呼ばれており、コイルバネに比べて、伸びた状態から元の状態へ復元する間のいずれの状態でも付勢力がほぼ一定となる。従って、このように付勢力が一定、すなわち、付勢力に経時的な変化がない渦巻きバネ８でプランジャ４を押圧すれば、当然に、外筒２の口部２２から吐出される薬液２００の吐出速度も確実に一定となる。
【００７４】
なお、薬液２００の吐出速度は、特に限定されないが、例えば、０．０５〜１ｍＬ／時間であるのが好ましく、０．１〜０．５ｍＬ／時間であるのがより好ましい。吐出速度をこのような大きさに設定する方法としては、特に限定されないが、例えば、シリンジ１の内部圧力が好ましくは２０〜７０ｋＰａ、より好ましくは４０〜６０ｋＰａとなるように、渦巻きバネ８の構成材料やサイズ、チューブ３０のサイズ、流量調整装置６０のオリフィス６０１のサイズ等の諸条件を適宜選択する方法が挙げられる。
【００７５】
＜第２実施形態＞
図７は、本発明の携帯型薬液ポンプの第２実施形態を示す平面図、図８は、図７中のＤ−Ｄ線断面図である。
【００７６】
以下、これらの図を参照して本発明の携帯型薬液ポンプの第２実施形態について説明するが、前述した実施形態との相違点を中心に説明し、同様の事項はその説明を省略する。
本実施形態は、保持体の構成が異なること以外は前記第１実施形態と同様である。
【００７７】
図７に示すように、保持体６のシリンジ配置部６１１上には、保持部６４の基端側に隣接して支持部６５が配置されている。図８に示すように、支持部６５には、シリンジ１のプランジャ４の本体部４２の横断面形状に対応した十文字状の溝６５１が形成されている。この溝６５１にプランジャ４の本体部４２を挿入することができる。そして、プランジャ４が移動する際に、本体部４２が支持部６５に摺動可能に支持され、よって、その移動が安定して行なわれる。これにより、薬液２００の投与をより高精度に行なうことができる。
【００７８】
なお、溝６５１の内面には、プランジャ４の本体部４２との摩擦を低減する摩擦低減処理が施されていてもよい。この摩擦低減処理としては、特に限定されないが、例えば、溝６５１の内面にフッ素樹脂を塗布し、当該フッ素樹脂で構成された層を形成することが挙げられる。
【００７９】
以上、本発明の携帯型薬液ポンプを図示の実施形態について説明したが、本発明は、これに限定されるものではなく、携帯型薬液ポンプを構成する各部は、同様の機能を発揮し得る任意の構成のものと置換することができる。また、任意の構成物が付加されていてもよい。
【００８０】
また、ケースは、ケース本体が底体と蓋体とで構成されたものに限定されず、ケース本体が蓋体で構成されたものであってもよい。この場合、保持体が底体としての機能を有することとなる。
【００８１】
また、シリンジに接続されるチューブセットは、チューブの途中から分岐した分岐チューブと、分岐チューブの下流側に設けられたリザーバと、チューブの途中まで流下した薬液を分岐チューブに流入させる切換部とをさらに有していてもよい。
【符号の説明】
【００８２】
１０          ポンプセット
１            シリンジ
２            外筒
２１          外筒本体
２２          口部
２４          空間
２５          フランジ
２６          目盛り
３            ガスケット
４            プランジャ
４１          フランジ
４２          本体部
５            携帯型薬液ポンプ（ポンプ）
６            保持体
６１          本体ベース
６１１        シリンジ配置部
６１２        機能部材配置部
６１３        上面
６４          保持部
６４１、６４２  壁部
６４３        凹部
６５          支持部
６５１        溝
７            押圧部材
７１          押圧部
７１１        当接面
７２          支持部
７２１        突出部
８            渦巻きバネ
８１          内端部
８２          外端部
９            ケース
９１          ケース本体
９１１        底体
９１２        蓋体
９１３        収納空間
９１４        窓部
９１５        目盛り
９２          ヒンジ
９３          施錠部
１１          ガイド手段
１１１        レール部
１１２        固定部
１１３        溝
１１４        一方の面
１１５        他方の面
１２          ロック手段
１２１        規制部材
１２２        コイルバネ
１２３        係合部
１３          回転軸
１４          ボビン
２０          チューブセット
３０          チューブ
４０          コネクタ
５０          フィルタ
５０１        疎水膜
６０          流量調整装置
６０１ａ、６０１ｂ  オリフィス
６０２        操作ダイヤル
６０３ａ      第１チューブ
６０３ｂ      第２チューブ
６０４ａ、６０４ｂ  Ｙ字コネクタ
６０５        装置本体
６０６        圧閉部
６０７ａ、６０７ｂ  チップ
２００        薬液
Ｌ            全長
ｔ            厚さ
ｗ            幅
【図１】
2011250867.tif 000003
【図２】
2011250867.tif 000004
【図３】
2011250867.tif 000005
【図４】
2011250867.tif 000006
【図５】
2011250867.tif 000007
【図６】
2011250867.tif 000008
【図７】
2011250867.tif 000009
【図８】
2011250867.tif 000010
【図９】
2011250867.tif 000011